(57)【要約】  穿孔体（７）の外端（９）に対して内側へ曲がった保持端縁（８）を有する環状の壁（５）によって区切られたコネクタ（１）の座部（４）に挿入される穿孔体（７）を備え、外端（９）に、周囲の円環状段差（１０）と、軸方向に突出している断面（１１）が縮小している露出部とが形成されており、周囲の段差（１０）は、コネクタ（１）の内側へ曲がった保持端縁（８）の形状に相補的な形状を有する環状の溝（１２）によって形成され、且つ、穿孔体（７）の断面（１１）が縮小している露出部は、内側へ曲がった保持端縁の少なくとも一部を超えて突出して前記保持端縁に載置される環状の面（１３）を介して、溝（１２）まで連続している、管状の医療用コネクタ（１）の注射部位。
2014522275.tif 000002
【特許請求の範囲】
【請求項１】
穿孔体（７）の外端（９）に対して内側へ曲がった保持端縁（８）を有する環状の壁（５）によって区切られたコネクタ（１）の座部（４）に挿入される穿孔体（７）を備え、前記穿孔体（７）の外端（９）に、前記コネクタ（１）の壁（５）の内側へ曲がった保持端縁（８）と係合するための周囲の円環状段差（１０）と、前記円環状の段差（１０）を超えて軸方向に突出し、断面（１１）が縮小している露出部とが形成されており、前記周囲の段差（１０）は、前記内側へ曲がった保持端縁の形状に相補的な形状を有する環状の溝（１２）によって形成されることを特徴とし、且つ、前記穿孔体（７）の断面（１１）が縮小している前記露出部は、前記内側へ曲がった保持端縁の少なくとも一部を超えて半径方向に突出して前記保持端縁に載置される環状の面（１３）を介して、前記の溝（１２）まで連続していることを特徴とする、管状の医療用コネクタ（１）の注射部位。
【請求項２】
前記の載置された環状の面（１３）は、テーパ状の外形を有することを特徴とする、請求項１に記載の注射部位。
【請求項３】
前記コネクタ（１）の壁（５）の内側へ曲がった保持端縁（８）と、前記穿孔体（７）の外端（９）の前記環状の溝とは、丸みを帯びた形状を有することを特徴とする、請求項１又は２に記載の注射部位。
【発明の詳細な説明】
【技術分野】
【０００１】
本発明は、コネクタ内に流動物質を導入するための注射部位を備える、典型的には注入又は輸液ライン用の、管状の医療用コネクタに関する。
【背景技術】
【０００２】
慣例上、この種類のコネクタでは、成形されるプラスチック材料からなるのが普通であるが、注射部位は、保持端縁を有する円環状の端壁によって区切られたコネクタの座部に挿入される、エラストマー材料又は熱可塑性のゴムからなる穿孔体によって構成されている。穿孔体の座部への挿入に続き、コネクタの壁の端縁は、例えば、熱間もしくは冷間変形、又は超音波を介した他の方法によって、穿孔体をその座部で安定して塞ぐように内側へ曲げられる。
【０００３】
従来、穿孔体は、一定の断面を有する略円筒形のウエハーのような形状であるため、対応する座部の壁の内側へ曲がった保持端縁は、穿孔体の外端に対して正面で接触するようにされている。この方法では、外周の非連続性は、問題となる針の挿入前に端面を消毒又は殺菌するだけでなく、不純物に対する罠も構成することがある、内側へ曲がった保持端縁の載置領域に沿って決定される。
【０００４】
国際公開第２０１０／０６９３６１号、国際公開第１９９０／０１１１０３号、米国特許第５４００５００号明細書、及び、国際公開第１９８９／０００８６７号から、上で定義した種類の注射部位は公知であり、これらにおいて、穿孔体の外端部には、コネクタの壁の内側へ曲がった保持端縁と係合するための円環状の段差と、円環状の段差を超えて軸方向に突出する断面縮小部とが形成されている。
【０００５】
この解により、円環状の段差を超えて軸方向に突出する部分の外側から、よりすぐに接触できることによって、針の挿入前に穿孔体の露出端を消毒又は殺菌するのがさらに容易であるが、しかしながら、内側へ曲がったコネクタの壁の保持端縁の面と、穿孔体の軸方向に突出した断面縮小部の保持端縁の面に直面する側壁との間に設けられている環状の空間に不純物が溜まり、堆積することがあるという欠点を伴う。
【発明の概要】
【０００６】
従って、本発明の目的は、効率的であると同時に簡単で経済的に優位な方法で前記の欠点を克服することである。
【０００７】
本発明によると、この目的は、前記の段差が前記のコネクタの壁の内側へ曲がった保持端縁の形状に相補的な形状を有する環状の溝によって画定されるという事実、及び、穿孔体の断面縮小部が内側へ曲がった保持端縁の少なくとも一部を超えて半径方向に突出し、前記保持端縁に載置される環状の面を介して前記溝まで連続しているという事実により、達成される。
【０００８】
この構成により、コネクタの壁の内側へ曲がった保持端縁は、穿孔体の正面の代わりに外側に当接し、少なくとも部分的に重なり、従って、穿孔体の半径方向に突出する環状の面で覆われる。その露出面はすぐに外部から接触可能であり、このため針の挿入前に効率的に消毒できる。
【０００９】
本発明に関して、これから添付図面を参照して詳細に説明する。これは単に非限定的な例として提供する。
【図面の簡単な説明】
【００１０】
【図１】本発明の注射部位に用いられる医療用コネクタの軸方向断面の模式図。
【図２】図１の注射部位の穿孔体の拡大スケールでの軸方向断面図。
【図３】さらに拡大したスケールでの図２の詳細図。
【発明を実施するための形態】
【００１１】
図面を参照して、１で表されているのは、医療用ラインのための管状のコネクタである。このコネクタは、図示の例の場合には、互いに連通する収束軸を有するメインダクト２と第２ダクト３を伴うＹ字型の構成をしている。
【００１２】
第２ダクト３に近接するメインダクト２の端部は、環状の壁５によって外側に区切られ、且つ、軸方向の環状の載置部６によって内側に区切られた座部４を備える。
【００１３】
座部４に収容されているのはウエハーのような形状をした穿孔体７であり、例えば、エラストマー材料又は熱可塑性ゴムからなり、これは針を用いて穿孔できる。従って、穿孔体７は、医療用流体もしくはその類似物をコネクタ１内に導入するための注射部位又は針突箇所を形成する。
【００１４】
壁５に囲まれている穿孔体７は、片側で環状の載値部６と軸方向に当接し、その反対側では、管状のコネクタ１から外側へ露出しているその端部９で、壁５の環状の保持端縁８によって塞がれている。通常、コネクタ２は、成形される熱可塑性材料からなるので、保持端縁８は曲がっている。即ち実際上、図１で表される形態を想定するように、即ち実際１８０度より大きな角度の、自身で丸く閉じた渦巻形状に、熱間もしくは冷間変形、又は超音波を介したその他の方法で、内側へ曲がっている。
【００１５】
本発明の特別な特徴によれば、保持端縁８は、公知技術の場合に代わり、穿孔体７の端部９の面に対して正面ではなく、側面で内側へ曲がっており、穿孔体７によってその上面を更に少なくとも部分的に覆われ、保護されている。
【００１６】
さらに詳細には、図２，３に詳細に示されているように、穿孔体７は、その露出端９の近接部に、その半径が断面１１の縮小部と同じである円環状の段差１０を形成されており、これにより穿孔体７の端部９の露出面を形成する。図３で一層明確に確認できるように、段差１０は、丸みを帯びた壁１２を有する周囲の溝によって形成され、この丸みを帯びた壁１２は、内側へ曲がった保持端縁８の形状に相補的な形状を有し、この保持端縁８は、環状の段差１０を超えて半径方向外側へ突出する、テーパ状の外形を有する唇部１３を介して断面１１が縮小している部分まで連続している。
【００１７】
図１に戻って、壁５の保持端縁８は、環状の溝１２内で段差１０に対して内側へ曲がっており、断面１１が縮小している部分の唇部１３は、保持端縁８に対してその上面に載置される。
【００１８】
このようにして、穿孔体７の露出端９の面は、保持端縁８を越えて軸方向に突出しており、コネクタ１の使用時には、穿孔体７に針で穿孔する前の消毒又は殺菌といった必要作業が容易である。同時に、溝１２での保持端縁８との係合、及び、半径方向に突出する環状の唇部１３によるその少なくとも部分的な被覆は、保持端縁８と穿孔体７との間に不純物が入ることを防止するのに効果的である。
【００１９】
当然のことながら、構造の詳細及び実施の形態は、次の特許請求の範囲で定義されている本発明の範囲から離れることなく、ここで説明及び図示されているものに関して広く変化してもよい。従って、本発明は、Ｙ字型の環状のコネクタを参照して説明しているが、あらゆる種類の医療用コネクタの注射部位に等しく優位に適用可能である。
【符号の説明】
【００２０】
１  コネクタ
２  メインダクト
３  第２ダクト
４  座部
５  壁
６  載置部
７  穿孔体
８  保持端縁
９  外端
１０  段差
１１  断面
１２  溝
１３  唇部
【図１】
2014522275.tif 000003
【図２】
2014522275.tif 000004
【図３】
2014522275.tif 000005
【国際調査報告】
2014522275.tif 000006
2014522275.tif 000007
2014522275.tif 000008
2014522275.tif 000009